(57)【要約】【課題】遊戯性を向上させた動作玩具を提供することにある。【解決手段】動作玩具１０は、物品２０を用いた遊戯に使用されるものである。この動作玩具１０は、本体部１１と、本体部１１に設けられた開閉部１２と、本体部１１に設けられた動作部１２とを備えている。動作部１３は、物品２０を装着可能な第１の面ＭＳと第１の面とは異なる第２の面ＮＭＳとを有し、開閉部１２の開放に応じて第１の面が露出しない第１状態から第１の面ＭＳが露出する第２状態に変位できるように構成される。【選択図】図５
2019017511.tif 000002
【特許請求の範囲】
【請求項１】
物品を用いた遊戯に使用される動作玩具であって、
本体部と、前記本体部に設けられた開閉部と、前記本体部に設けられた動作部とを備え、
前記動作部は、前記物品を装着可能な第１の面と第１の面とは異なる第２の面とを有し、前記開閉部の開放に応じて前記第１の面が露出しない第１状態から前記第１の面が露出する第２状態に変位できるように構成される、
動作玩具。
【請求項２】
前記開閉部は、前記本体部に回動可能に設けられ、
前記動作部は、前記本体部に回転可能に設けられる、
請求項１に記載の動作玩具。
【請求項３】
前記本体部には、前記動作部を前記第１状態となるよう付勢する付勢部材が設けられる、
請求項１または２に記載の動作玩具。
【請求項４】
前記本体部には、前記動作部を前記第１状態で維持するため、前記動作部に設けられた第１の係合部と係合可能な被係合部が設けられる、
請求項３に記載の動作玩具。
【請求項５】
前記付勢部材は、前記動作部が前記第１状態にある場合において、前記第１の係合部が前記被係合部に係合するよう付勢する、
請求項４に記載の動作玩具。
【請求項６】
前記開閉部には、押圧部が設けられ、
前記動作部には、前記押圧部により押圧可能な被押圧部が設けられ、
前記被係合部への前記第１の係合部の係合は、前記開閉部の開放に応じた、前記押圧部による前記被押圧部への押圧により解除される、
請求項４〜５のいずれか１項に記載の動作玩具。
【請求項７】
前記本体部には、前記開閉部の所定角度以上の開放を抑制可能な開放抑制部が設けられ、
前記被係合部への前記第１の係合部の係合は、前記開閉部が前記所定角度を超えたときに解除される、
請求項６に記載の動作玩具。
【請求項８】
前記開放抑制部は、弾性部で構成され、
前記開閉部には、前記所定角度以上の開放状態において、前記弾性部と当接する当接部が設けられる、
請求項７に記載の動作玩具。
【請求項９】
前記動作部には、前記動作部を前記第２状態で維持するため、前記被係合部に係合可能な第２の係合部が設けられる、
請求項４〜８のいずれか１項に記載の動作玩具。
【請求項１０】
前記開閉部は、前記第１状態および前記第２状態において前記開閉部が閉塞されたときに前記動作部を支持可能な支持部を有する、
請求項１〜９のいずれか１項に記載の動作玩具。
【請求項１１】
前記動作部の前記第１の面の内側には、磁性部材が設けられる、
請求項１〜１０のいずれか１項に記載の動作玩具。
【請求項１２】
前記動作部の前記第１の面には、前記物品の装着位置を決める位置決め部が設けられる、
請求項１〜１１のいずれか１項に記載の動作玩具。
【請求項１３】
請求項１〜１２のいずれか１項に記載の動作玩具に用いられる物品であって、
前記動作玩具における動作部の前記第１の面に着脱可能に装着するための装着部を有する、
物品。
【請求項１４】
前記物品は、少なくとも胴部および脚部を有する人形である、
請求項１３に記載の物品。
【請求項１５】
前記装着手段は、前記物品に設けられた永久磁石を含んでおり、
前記物品は、前記永久磁石が前記動作玩具における前記動作部の前記第１の面の内側に設けられた磁性部材に引き寄せられることにより前記第１の面に装着できるように構成される、
請求項１３または１４に記載の物品。
【請求項１６】
前記永久磁石は、前記物品の内部に前記物品の装着方向に沿って移動可能に設けられ、
前記物品の内部には、前記永久磁石を前記装着方向とは反対側に引き寄せる磁性部材が設けられ、
前記磁性部材が前記永久磁石を引き寄せる力は、前記物品を前記動作玩具における前記動作部の前記第１の面に装着したときに前記動作部の前記磁性部材が前記永久磁石を引き寄せる力よりも小さい、
請求項１５に記載の物品。
【請求項１７】
請求項１〜１２のいずれか１項に記載の動作玩具と、請求項１３〜１６のいずれか１項に記載の物品との組み合わせから成る、
玩具セット。
【請求項１８】
請求項１〜１２のいずれか１項に記載の動作玩具と、請求項１３〜１６のいずれか１項に記載の物品と、ハウス玩具との組み合わせから成る玩具セットであって、
前記ハウス玩具は、ハウス本体部と、前記ハウス本体部に設けられたハウス開閉部を備え、前記ハウス本体部内には、前記物品を載置する第１載置部と、前記第１載置部とは異なる第２載置部とを有する、
玩具セット。
【請求項１９】
前記ハウス玩具に前記動作玩具を着脱可能に取り付けるための取付部を備えている、
請求項１８に記載の玩具セット。
【請求項２０】
前記物品は、永久磁石を備えており、
前記ハウス玩具には、磁性部材が複数個設けられ、前記磁性部材が設けられた位置に前記物品を選択的に装着できるように構成される、
請求項１８または１９に記載の玩具セット。
【請求項２１】
前記ハウス玩具は、第１の構成部材と第２の構成部材とを含み、
前記磁性部材は、前記第１の構成部材に前記第２の構成部材を接続する接続部である、
請求項２０に記載の玩具セット。
【発明の詳細な説明】
【技術分野】
【０００１】
本発明は、物品を用いた遊戯に使用される動作玩具と、動作玩具に用いられる物品と、動作玩具と物品との組み合わせ等から成る玩具セットに関する。
【背景技術】
【０００２】
後記特許文献１には、缶体の底板から突出している床体の爪を机等に押し付けて当該爪と底板の爪穴との係合を外すことにより、ばねの力によって床体を押し上げて形象物が蓋体を開けつつ缶体から飛び出るように構成された缶詰玩具が開示されている。
【０００３】
しかしながら、前記缶詰玩具の遊戯の主体は形象物を缶体から飛び出させることにあり、飛び出した形象物を元に戻す作業が面倒であるため、遊戯を繰り返し楽しむ観点からすると遊戯性の向上の点で改善の余地がある。また、前記缶詰玩具からは、前記缶詰玩具に入った状態から単に形象物が押し出されて飛び出すという単純な動きであり、さらなる遊戯性の向上が求められる。
【先行技術文献】
【特許文献】
【０００４】
【特許文献１】登録実用新案第３０３３８２５号公報
【発明の概要】
【発明が解決しようとする課題】
【０００５】
本発明が解決しようとする課題は、遊戯性を向上させた動作玩具と、この動作玩具に好適な物品と、これら動作玩具と物品との組み合わせ等から成る玩具セットを提供することにある。
【課題を解決するための手段】
【０００６】
前記課題を解決するため、本発明に係る動作玩具は、物品を用いた遊戯に使用される動作玩具であって、本体部と、前記本体部に設けられた開閉部と、前記本体部に設けられた動作部とを備え、前記動作部は、前記物品を装着可能な第１の面と第１の面とは異なる第２の面とを有し、前記開閉部の開放に応じて前記第１の面が露出しない第１状態から前記第１の面が露出する第２状態に変位できるように構成される。
【０００７】
また、本発明に係る物品は、前掲の動作玩具に用いられる物品であって、前記動作玩具における動作部の前記第１の面に着脱可能に装着するための装着手段を有する。
【０００８】
さらに、本発明に係る玩具セットは、前掲の動作玩具と前掲の物品との組み合わせから成る。加えて、本発明に係る玩具セットは、前掲の動作玩具と、前掲の物品と、ハウス玩具との組み合わせから成る玩具セットであって、前記ハウス玩具は、ハウス本体部と、前記ハウス本体部に設けられたハウス開閉部を備え、前記ハウス本体部内には、前記第１のハウス開閉部とは異なる第２のハウス開閉部を有する。
【発明の効果】
【０００９】
本発明によれば、遊戯性を向上させた動作玩具と、この動作玩具に好適な物品と、これら動作玩具と物品との組み合わせ等から成る玩具セットを提供することができる。
【図面の簡単な説明】
【００１０】
【図１】図１（Ａ）は本発明に係る動作玩具の前面図、図１（Ｂ）は図１（Ａ）の右側面図、図１（Ｃ）は図１（Ａ）の左側面図、図１（Ｄ）は図１（Ａ）の上面図である。
【図２】図２（Ａ）は図１に示した動作部（第２シャフトおよび捻りコイルバネを含む）の第２の面装着面が上が向いた状態を示す上面図、図２（Ｂ）は同動作部の第１の面が上が向いた状態を示す上面図、図２（Ｃ）は図１（Ａ）から第２部品を除外した図、図２（Ｃ）は図１（Ｂ）から第１部品を除外した図、図２（Ｅ）は図２（Ａ）のＳ１−Ｓ１線断面図、図２（Ｆ）は図２（Ａ）の左側面図である。
【図３】図３は図１に示した動作玩具の動作説明図である。
【図４】図４は図１に示した動作玩具の動作説明図である。
【図５】図５は図１に示した動作玩具の動作説明図である。
【図６】図６は図１に示した動作玩具の動作説明図である。
【図７】図７（Ａ）は本発明に係る物品の前面図、図７（Ｂ）は図７（Ａ）の右側面図、図７（Ｃ）は図７（Ａ）の後面図、図７（Ｄ）は図７（Ａ）のＳ２−Ｓ２線断面図、図７（Ｅ）は図７（Ａ）の上面図、図７（Ｆ）は図７（Ａ）の下面図である。
【図８】図８は図７に示した物品の装着操作の説明図である。
【図９】図９（Ａ）および図９（Ｃ）は図７に示した物品の装着操作の説明図である。
【図１０】図１０は図８に示した物品装着後の動作玩具の遊戯方法説明図である。
【図１１】図１１は図８に示した物品装着後の動作玩具の遊戯方法説明図である。
【図１２】図１２は図８に示した物品装着後の動作玩具の遊戯方法説明図である。
【図１３】図１３は図８に示した物品装着後の動作玩具の遊戯方法説明図である。
【図１４】図１４（Ａ）は本発明に係るハウス玩具の上面図、図１４（Ｂ）は同ハウス玩具の前面図である。
【図１５】図１５（Ａ）は図１４に示したハウス玩具の第１開閉部および第２開閉部を開放した状態を示す上面図、図１５（Ｂ）は同ハウス玩具のハウス開閉部を開放した状態を示す前面図である。
【図１６】図１６は図１４に示したハウス玩具の遊戯方法説明図である。
【図１７】図１７は図１４に示したハウス玩具の他の遊戯方法説明図である。
【発明を実施するための形態】
【００１１】
《動作玩具１０：図１〜図６》
まず、図１および図２を用いて、本発明に係る動作玩具１０の構成について説明する。なお、この説明では、便宜上、図１（Ａ）の手前側を前、奥側を後、左側を左、右側を右、上側を上、下側を下と表記し、他の図についてもこれらに準じて向きを表記する。
【００１２】
動作玩具１０は、本体部１１と開閉部１２と動作部１３とを備えている。ちなみに、図１は開閉部１２が閉塞され、かつ、動作部１３の第１の面ＭＳが露出していない状態を示す。
【００１３】
本体部１１はポリプロピレンやＡＢＳ樹脂等の合成樹脂から形成されている。図１（Ｄ）に示されるように、本体部１１を上から見た形状は略半円形であり、その下端には上から見た形状が略円形を成す底部１１ａ（後述の図４参照）が設けられている。また、図１（Ｃ）に示されるように、本体部１１の左端部分には、後記第１接続部１２ａを受容するための第１溝部１１ｂと、後記第２接続部１２ｃを受容するための第２溝部１１ｃが、上下方向に間隔をおいて設けられている。この第１溝部１１ｂと第２溝部１１ｃを左から見た形状はいずれも略矩形である。さらに、図１（Ｃ）に示されるように、本体部１１の左端部分における第１溝部１１ｂと第２溝部１１ｃとの間には、開閉部１２の開放角度を抑制するための弾性部１１ｄが設けられている。この弾性部１１ｄを左から見た形状は略矩形であり、当該弾性部１１ｄは弾性変形可能な帯状部分（符号省略）と、同帯状部分の外面前側に設けられた隆起部分（符号省略）とを有している。さらに、図１（Ａ）、図１（Ｄ）に示されるように、本体部１１の右端部分には、開閉部１２の凹部１２ｅとの嵌め合わせを可能とした凸部１１ｅが設けられている。さらに、図１（Ｄ）に示されるように、本体部１１の内面左側と内面右側には、上から見た形状が略三角形を成す被係合部１１ｆが左右対称に設けられている。さらに、本体部１１の左端部分（第１溝部１１ｂと第２溝部１１ｃと弾性部１１ｄを除く）には、後記第１シャフト１４を挿入するためのシャフト孔（符号省略）が上下方向に設けられている。さらに、本体部１１の上部の左端部分と右端部分には、後記第２シャフト１５を挿入するためのシャフト孔（符号省略）が左右方向に設けられている。
【００１４】
開閉部１２はポリプロピレンやＡＢＳ樹脂等の合成樹脂から形成されている。図１（Ｄ）に示されるように、開閉部１２を上から見た形状は略半円形であり、その上下方向寸法は、本体部１１の上下方向寸法から底部１１ａの上下方向寸法を減じた寸法に対応している。また、開閉部１２の左端部分には、第１接続部１２ａが後側に突出するように設けられている。この第１接続部１２ａを左から見た形状は略矩形であり、当該第１接続部１２ａはシャフト孔（符号省略）を有している。さらに、第１接続部１２ａの外面には、左側および後側に張り出した押圧部１２ｂが設けられている。この押圧部１２ｂは、開閉部１２の開放に応じて動作部１３の被押圧部１３ｃを押圧するものであり、同押圧をスムースに行えるようにその外面は曲面となっている。さらに、開閉部１２の左端部分には、第１接続部１２ａと上下方向に間隔をおき、第２接続部１２ｃが後側に突出するように設けられている。この第２接続部１２ｃを左から見た形状は略矩形であり、当該第２接続部１２ｃは第１接続部１２ａのシャフト孔と上下方向で向き合うシャフト孔（符号省略）を有している。さらに、開閉部１２の左端における第１接続部１２ａと第２接続部１２ｃとの間には、開閉部１２の開放角度を抑制するための当接部１２ｄが設けられている。この当接部１２ｄを左から見た形状は略矩形であり、本体部１１の弾性部１１ｄの隆起部分に当接可能な隆起部分（符号省略）を有している。さらに、本体部１１の右端部分には、本体部１１の凸部１１ｅとの嵌め合わせを可能とした凹部１２ｅが設けられている。さらに、開閉部１２の内面には、上から見た形状が略弓形を成す支持部１２ｆが設けられている。
【００１５】
本体部１１に対する開閉部１２の取り付けは、開閉部１２の第１接続部１２ａを本体部１１の第１溝部１１ｂに挿入し、かつ、第２接続部１２ｃを本体部１１の第２溝部１１ｃに挿入した後に、本体部１１の第１シャフト１４用のシャフト孔に上または下から第１シャフト１４を差し込んで、当該第１シャフト１４を第１接続部１２ａのシャフト孔と第２接続部１２ｃのシャフト孔にも挿入することによって行われる。ちなみに、第１シャフト１４はステンレス鋼等の金属から形成されている。すなわち、取り付け後の開閉部１２は、第１シャフト１４の軸線を中心として回動させることができる。
【００１６】
動作部１３はポリプロピレンやＡＢＳ樹脂等の合成樹脂から形成されている。動作部１３を上から見た形状は略小判形（円形の左右両側を平行に切り取ったような形状）であり、第１の面ＭＳと第１の面とは異なる第２の面ＮＭＳを有する。図１（Ｄ）および図２（Ａ）においては、上面が第２の面ＮＭＳとなっており、下面が第１の面ＭＳ（後記物品２０の装着に好適な面、図２（Ｂ）を参照）となっている。図２（Ｅ）および図２（Ｆ）から分かるように、動作部１３は、上下に２分割された部品（第１部品１３-1と第２部品１３-2）をネジ止めや接着等により一体化して構成されている。
【００１７】
動作部１３の左面と右面の前側下部には、上から見た形状が略三角形を成す係合部（第２の係合部）１３ａが左右対称に設けられている。この係合部１３ａは、それぞれ、本体部１１の被係合部１１ｆとの係合を可能としている。また、動作部１３の左面の後側上部には、上から見た形状が略矩形を成す係合部（第１の係合部）１３ｂが設けられている。この係合部１３ｂは、本体部１１の左側の被係合部１１ｆとの係合を可能としている。さらに、動作部の左面の後側下部には、上から見た形状が略矩形を成す被押圧部１３ｃが設けられている。この被押圧部１３ｃは、開閉部１２の開放に応じて第１接続部１２ａの押圧部１２ｂによって押圧されるものであり、その上下方向位置および寸法は第１接続部１２ａの押圧部１２ｂの上下方向位置および寸法と対応している。
【００１８】
さらに、動作部１３の第１の面ＭＳには、後記物品２０の装着位置を決める位置決め部１３ｄが設けられている（図２（Ｂ）を参照）。本実施形態においては、位置決め部１３ｄは凹部となっており、この凹部の外形は、後記物品２０の脚部２４の外形に対応しており、当該脚部２４の一部を差し込めるようになっている。さらに、動作部１３の第１の面ＭＳの内側には、ステンレス鋼（オーステナイト系は除く）等から成る磁性部材１３ｅ、例えば強磁性部材が設けられている（図２（Ｃ）を参照）。この磁性部材１３ｅの外形は略円形であり、接着により第１部品１３-1の内面に固着されている。勿論、この磁性部材１３ｅの形状は、環状形であっても良いし、矩形状であっても良い。
【００１９】
動作部１３を構成する第１部品１３-1と第２部品１３-2の左面および右面の略中央には、略半円柱形の溝１３ｆおよび１３ｇが設けられている。この溝１３ｆおよび１３ｇは、第１部品１３-1と第２部品１３-2を一体化したときにシャフト孔として利用される（図１（Ｃ）および図１（Ｄ）を参照）。溝１３ｆのサイズが溝１３ｇのサイズよりも大きいのは、第２シャフト１５に外装された捻りコイルバネ１６を余裕をもって受容するための配慮である。また、第２部品１３-2の内面には、第２シャフト１５を回動可能に支持するシャフト支持部１３ｈが設けられている（図２（Ｄ）を参照）。このシャフト支持部１３ｆは、２個の突起の間で第２シャフト１５を回転可能に支持するようになっている。すなわち、動作部１３における第２シャフト１５の位置は、左側のシャフト孔（溝１３ｇの組み合わせ）とシャフト支持部１３ｈとによって定められている。
【００２０】
第２シャフト１５に外装された捻りコイルバネ１６の一端部１６ａは、本体部１１の右側の被係合部１１ｆの下面に引っかけられる部分である（図１（Ｄ）を参照）。また、捻りコイルバネ１６の他端部１６ｂは、第２部品１３-2の内面に設けられた突起１３ｉに引っかけられている（図２（Ｄ）を参照）。
【００２１】
本体部１１に対する動作部１３の取り付けは、第２部品１３-2に捻りコイルバネ１６を配置してから当該第２部品１３-2に第１部品１３-1を一体化した後、これを本体部１１の内側上部に位置させて、本体部１１の第２シャフト１５用のシャフト孔に左または右から第２シャフト１５を差し込んで、当該第２シャフト１５を動作部１３の左側のシャフト孔（溝１３ｇの組み合わせ）とシャフト支持部１３ｈと捻りコイルバネ１６にも挿入することによって行われる（図１を参照）。ちなみに、第２シャフト１５と捻りコイルバネ１６６はステンレス鋼等の金属から形成されている。
【００２２】
図１に示した状態（開閉部１２が閉塞され、かつ、動作部１３の第１の面ＭＳが露出していない状態）では、捻りコイルバネ１６は、動作部１３を右から見て時計回り方向に付勢する役割（周方向付勢）を果たすとともに、動作部１３を上から見て左方向に付勢する役割（軸線方向付勢）を果たしている。すなわち、動作部１３は捻りコイルバネ１６によって右から見て時計回り方向に付勢されているものの、上から見て左方向にも付勢されて係合部１３ｂが本体部１１の左側の被係合部１１ｆに係合しているため、動作部１３は第１の面ＭＳが露出していない状態で維持されている。また、この状態では、動作部１３の下面前側（第１の面ＭＳの前側）の下に開閉部１２の支持部１２ｆが位置しているため、第２の面ＮＭＳの前側を下向きに押すことで右から見て反時計回り方向の外力が加わったとしても、動作部１３は右から見て反時計回り方向には回転しない。なお、図２には周方向付勢と軸線方向付勢を１個の捻りコイルバネ１６で兼用したものを示したが、これを周方向付勢専用の第１バネ部材と軸線方向付勢専用の第２バネ部材とに分けて用いることも可能である。
【００２３】
次に、図３〜図６を用いて、前記動作玩具１０の動作について説明する。なお、この説明では、便宜上、図３の手前側を上、奥側を下、左側を左、右側を右、上側を後、下側を前と表記し、他の図についてもこれらに準じて向きを表記する。
【００２４】
図１に示した状態（開閉部１２が閉塞され、かつ、動作部１３の第１の面ＭＳが露出していない状態）では、本体部１１と開閉部１２と動作部１３との協働によって物品収容空間（符号省略）が内部に画成されている。
【００２５】
この図１に示した状態から開閉部１２を開放すると、図３に示したように、当接部１２ｄが本体部１１の弾性部１１ｄに当接したところで、一旦、開閉部１２の開放角度が抑制される。なお、図３には約９０度回転したところで開閉部１２の開放角度が抑制されている様子を示しているが、当接部１２ｄと弾性部１１ｄの位置関係を変えることにより、９０度超過や９０度未満の角度で開閉部１２の開放角度を抑制することもできる。
【００２６】
図３に示した状態で本体部１１の弾性部１１ｄの弾性に基づく抵抗に抗して開閉部１２をさらに開放すると、図４に示したように、開閉部１２の第１接続部１２ａの押圧部１２ｂが本体部１１の内側に入り込んで動作部１３の被押圧部１３ｃが右方向に押圧され、この押圧によって捻りコイルバネ１６の軸線方向付勢力に抗して動作部１３が右方向に変位し（矢印を参照）、この変位によって係合部１３ｂの本体部１１の左側の被係合部１１ｆに対する係合が解除される。なお、図４にはさらに約２０度回転したところで係合部１３ｂの被係合部１１ｆへの係合が解除される様子を示しているが、当接部１２ｄと弾性部１１ｄの位置関係を変えることにより、２０度超過や２０度未満の回転で係合部１３ｂの被係合部１１ｆへの係合を解除することもできる。
【００２７】
動作部１３の係合部１３ｂの、本体部１１の左側の被係合部１１ｆに対する係合が解除されると、図５に示したように、捻りコイルバネ１６の周方向付勢力によって、動作部１３は右から見て時計回り方向に約１８０度回転する。この回転は動作部１３の各係合部１３ａが、本体部１１の各被係合部１１ｆに当接したところで停止し、これにより動作部１３の第１の面ＭＳが露出した状態となる。
【００２８】
図５に示した状態から開閉部１２を閉塞すると、図６に示したように、開閉部１２の支持部１２ｆが動作部１３の下面前側（第２の面ＮＭＳの前側）の下に入り込み、開閉部１２の凹部１２ｅが本体部１１の凸部１１ｅに嵌め込まれたところで開閉部１２が完全に閉塞する。この状態では、動作部１３は捻りコイルバネ１６によって右から見て時計回り方向に付勢され、かつ、動作部１３の各係合部１３ａが本体部１１の各被係合部１１ｆに係合しているため、動作部１３は第１の面ＭＳが露出している状態で維持されている。また、この状態では、動作部１３の下面前側（第１の面ＭＳの前側）の下に開閉部１２の支持部１２ｆが位置しているため、第１の面ＭＳの前側を下向きに押すことで右から見て反時計回り方向の外力が加わったとしても、動作部１３は右から見て反時計回り方向には回転しない。
【００２９】
《物品２０：図７〜図１３》
まず、図７を用いて、本発明に係る物品２０（前記動作玩具１０に用いられる物品２０）の構成について説明する。なお、この説明では、便宜上、図７（Ａ）の手前側を前、奥側を後、左側を左、右側を右、上側を上、下側を下と表記し、他の図についてもこれらに準じて向きを表記する。
【００３０】
物品２０は、胴部２１と頭部２２と腕部２３と脚部２４を有する人形であり、ポリプロピレンやＡＢＳ樹脂等の合成樹脂から形成されている。なお、図７には胴部２１と頭部２２と腕部２３と脚部２４が一体化されたようなものを示したが、複数の部品によって構成されていても良いし、頭部２２や腕部２３等が回動可能に構成されていても良い。また、図７には物品２０として人形を示したが、動物を模したものや、アニメーションや漫画や小説等に登場するキャラクターを模したもの等であっても良いし、円柱や直方体等の形状を有する構造体であってもよい。
【００３１】
先に述べたように、脚部２４の外形は動作玩具１０の動作部１３の凹部１３ｄの外形に対応している。また、胴部および脚部２４の内部には略円柱状の空洞２５が設けられていて、この空洞２５には略円柱状の永久磁石２５が上下方向に沿って移動可能に設けられている。この永久磁石２５には、後述する動作部１３の第１の面ＭＳに装着された物品２０が動作部１３が回転したときに外れないように、高磁力のネオジム磁石やサマリウムコバルト磁石等が好ましく使用できる。さらに、空洞２５の上側には、ステンレス鋼（オーステナイト系は除く）等から成る磁性部材２７、例えば強磁性部材が設けられている。この磁性部材２７は棒状であり、差し込みによって物品２０に固着されている。勿論、この磁性部材２７は、物品２０にねじ込んだネジ（複数の部品によって構成された物品２０を組み立てるときに用いるネジも含む）や、物品２０に埋め込んだ板状物であっても良い。
【００３２】
永久磁石２６は上下移動可能であり、かつ、その上側に磁性部材２７が配置されていることから、図７（Ｄ）に示したように、物品２０を動作玩具１０の動作部１３の第１の面ＭＳに装着していない状態では、永久磁石２６は磁性部材２７に引き寄せられて空洞２５の上部に位置している。後に説明するが、物品２０の磁性部材２７が永久磁石２６を引き寄せる力は、物品２０を動作玩具１０における動作部１３の第１の面ＭＳに装着したときに当該動作部１３の磁性部材１３ｅが永久磁石２６を引き寄せる力よりも小さい。
【００３３】
次に、図８および図９を用いて、前記物品２０を前記動作玩具１０における動作部１３の第１の面ＭＳに装着するときの操作について、作用効果を交えて説明する。なお、この説明では、便宜上、図８の手前側を上、奥側を下、左側を左、右側を右、上側を後、下側を前と表記し、他の図についてもこれらに準じて向きを表記する。
【００３４】
物品２０を動作玩具１０における動作部１３の第１の面ＭＳに装着するときには、図６に示した状態（開閉部１２が閉塞され、かつ、動作部１３の第１の面ＭＳが露出している状態）とする。そして、図８および図９に示したように、物品２０の脚部２４の一部を第１の面ＭＳの凹部１３ｄに差し込むようにして装着を行う。
【００３５】
図９（Ａ）に示したように、物品２０が動作部１３から離れているときは、永久磁石２６は磁性部材２７に引き寄せられて空洞２５の上部に位置している。一方、図９（Ｂ）に示したように、物品２０が動作部１３の第１の面ＭＳに装着されたときには、永久磁石２６は動作部１３の磁性部材１３ｅに引き寄せられて空洞２５の下部に移動する。装着時に永久磁石２６が空洞２５の下部に移動する理由は、動作部１３の磁性部材１３ｅが永久磁石２６を引き寄せる力が、物品２０の磁性部材２７が永久磁石２６を引き寄せる力よりも大きいことにある。また、物品２０の永久磁石２６が空洞２５の上部から下部に移動するときには衝突音が発生するため、遊戯者はこの衝突音によって物品２０が動作部１３の第１の面ＭＳに装着されたことを聴覚によっても確認することができる。ここで、動作部１３の第１の面ＭＳに凹部１３ｄが設けられていることにより、物品２０に設けられた永久磁石２５と第１の面ＭＳに設けられた磁性部材２７との上下方向における位置関係が対応するように物品２０を第１の面ＭＳに配置させることが可能となっている。さらに、凹部１３ｄに差し込む形で物品２０が第１の面ＭＳに装着されることにより、動作部１３の回転による物品２０の第１の面ＭＳの表面に沿う方向への移動が制限されるため、物品が装着面２０から外れることを抑制することも可能となる。また、物品２０は第２の面ＮＭＳに装着させることも可能であるが、磁性部材１３ｅは動作部１３の第１の面ＭＳ側に近い位置に設けられていることにより、物品２０を第２の面ＮＭＳに装着する場合は、動作部１３の磁性部材１３ｅが永久磁石２６を引き寄せる力が物品２０を第１の面ＭＳに装着させた場合よりも小さくなる。つまり、第２の面ＮＭＳにも物品２０を装着可能ではあるが、第１の面ＭＳに比べて動作部１３への装着は安定しない。
【００３６】
次に、図１０〜図１３を用いて、前記物品２０を前記動作玩具１０に装着した後の遊戯方法について、作用効果を交えて説明する。なお、この説明では、便宜上、図１０の手前側を上、奥側を下、左側を左、右側を右、上側を後、下側を前と表記し、他の図についてもこれらに準じて向きを表記する。
【００３７】
物品２０を動作部１３の第１の面ＭＳに装着した後は、図１０に示したように、当接部１２ｄが本体部１１の弾性部１１ｄに当接するまで開閉部１２を開放する。このときの開放角度を調整できることは先に述べたとおりである。
【００３８】
開閉部１２を開放した後は、図１１に示したように、捻りコイルバネ１６の周方向付勢力に抗して指先で動作部１３の前側を下向きに押して、当該動作部１３を右から見て反時計回り方向に約１８０度回転させる。この回転の終盤には、捻りコイルバネ１６の軸線方向付勢力に抗して動作部１３の係合部１３ｂが本体部１１の左側の被係合部１１ｆを乗り越えるように当該動作部１３が右方向に移動し、乗り越えたところで捻りコイルバネ１６の軸線方向付勢力によって動作部１３が左方向に移動して係合部１３ｂの本体部１１の左側の被係合部１１ｆに係合する。また、動作部１３の回転によって、当該動作部１３の第１の面ＭＳに装着されている物品２０が反転して本体部１１に入り込む。
【００３９】
動作部１３を回転した後は、図１２に示したように、開閉部１２の凹部１２ｅが本体部１１の凸部１１ｅに嵌め込まれるところまで開閉部１２を閉塞する。この状態（開閉部１２が閉塞され、かつ、動作部１３の第１の面ＭＳが露出していない状態）では、本体部１１と閉塞部１２と動作部１３との協働によって物品収容空間が内部に画成されるため、反転して本体部１１に入り込んだ物品２０は当該物品収容空間に収容されることになる。
【００４０】
図１２に示した状態（開閉部１２が閉塞され、かつ、動作部１３の第１の面ＭＳが露出していない状態）で物品２０が露出した状態とするには、先に述べたように、係合部１３ｂの被係合部１１ｆへの係合が解除されるまで開閉部１２を開放し、この後、開閉部１２の凹部１２ｅが本体部１１の凸部１１ｅに嵌め込まれるところまで開閉部１２を閉塞すれば良い（図１３を参照）。
【００４１】
すなわち、動作部１３の第１の面ＭＳに装着されている物品２０を露出状態から収容状態に変化させる操作、及び当該物品２０を収容状態から露出状態に変化させる操作は繰り返し行うことができるため、遊戯者はこの操作によって繰り返しの遊戯を楽しむことができる。また、図８および図９に示した状態では、第１の面ＭＳに装着されている物品２０を別種類の物品２０に交換することができるため、この交換によって前記の繰り返しの遊戯をより一層楽しむことができる。また、第１の面ＭＳの回転を伴って第１の面ＭＳに装着された物品２０が物品収容空間から動作玩具１０の外側に露出するため、物品が単に物品収容空間から押し出されて外に飛び出る等の単純な動作と比較すると、物品２０の露出の仕方という点での演出性において優れており、物品２０を伴った動作玩具１０の遊戯における興趣性がより向上する。
【００４２】
《ハウス玩具３０：図１４〜図１６》
まず、図１４および図１５を用いて、本発明に係るハウス玩具３０の構成について説明する。なお、この説明では、便宜上、図１４（Ｂ）の手前側を前、奥側を後、左側を左、右側を右、上側を上、下側を下と表記し、他の図についてもこれらに準じて向きを表記する。
【００４３】
ハウス玩具３０は、本体部３１と第１開閉部３２と第２開閉部３３を備えている。ちなみに、図１４は第１開閉部３２と第２開閉部３３が閉塞されている状態を示し、図１５は第１開閉部３２と第２開閉部３３が開放されている状態を示す。
【００４４】
本体部３１はポリプロピレンやＡＢＳ樹脂等の合成樹脂から形成されている。本体部３１を上から見た形状は略半円形であり、その上端には上から見た形状が略円形を成す頂部３１ａが設けられ、その下端には上から見た形状が略円形を成す底部３２ａが設けられている。また、本体部３１の上下方向の略中央には、上から見た形状は略半円形を成す仕切部３１ｃが設けられている。さらに、頂部３１ａと底部３１ｂの左側には、後記第１シャフト３４を挿入するためのシャフト孔（符号省略）が上下方向に設けられており、頂部３１ａと底部３１ｂの右側には、後記第２シャフト３５を挿入するためのシャフト孔（符号省略）が上下方向に設けられている。
【００４５】
第１開閉部３２と第２開閉部３３はポリプロピレンやＡＢＳ樹脂等の合成樹脂から形成されている。第１開閉部３２を上から見た形状は略１／４円形（略４分円）であり、その左端部分には、後記第１シャフト３４を挿入するためのシャフト孔（符号省略）が上下方向に設けられている。また、第２開閉部３３を上から見た形状は略１／４円形（略４分円形）であり、その右端部分には、後記第２シャフト３５を挿入するためのシャフト孔（符号省略）が上下方向に設けられている。さらに、第２開閉部３３の内側には、上から見た形状は略半円形を成す棚部３３ａが、仕切部３１ｃと上下方向位置が対応するように設けられている。
【００４６】
本体部３１に対する第１開閉部３２の取り付けは、本体部３１の頂部３１ａと底部３１ｂの左側のシャフト孔の間に第１開閉部３２のシャフト孔を位置させた後に、これらシャフト孔に上または下から第１シャフト３４を差し込むことによって行われる。また、本体部３１に対する第２開閉部３３の取り付けは、本体部３１の頂部３１ａと底部３１ｂの右側のシャフト孔の間に第２開閉部３３のシャフト孔を位置させた後に、これらシャフト孔に上または下から第２シャフト３５を差し込むことによって行われる。ちなみに、第１シャフト３４と第２シャフト３５はステンレス鋼等の金属から形成されている。すなわち、取り付け後の第１開閉部３２は第１シャフト３４の軸線を中心として回動させることができ、取り付け後の第２開閉部３３は第２シャフト３５の軸線を中心として回動させることができる。つまり、第１開閉部３２と第２開閉部３３は、観音開きが行えるようになっている。なお、第１開閉部３２と第２開閉部３３は、例えば第１開閉部３２と第１シャフト３５と第１シャフト３５用のシャフト孔を排除し、第２開閉部３３を上から見た形状を略半円形とすることによって、前記動作玩具２０と同様に開閉部を１個とすることもできる。
【００４７】
また、ハウス玩具の内外面（本体部３１と第１開閉部３２と第２開閉部３３の内外面）には、ステンレス鋼（オーステナイト系は除く）等から成る磁性部材３６、例えば強磁性部材が複数個設けられている。この磁性部材３６はネジであり、ねじ込みによって本体部３１と第１開閉部３２と第２開閉部３３の内外面に固着されている。また、磁性部材３６であるネジは、ハウス玩具を構成する第１構成部材（例えば壁部材、ヒンジ部材、床部材、装飾部材等）と第２構成部材（例えば壁部材、ヒンジ部材、床部材、装飾部材等）とを接続するためにも用いられる。勿論、この磁性部材３６は、本体部３１と第１開閉部３２と第２開閉部３３の内外面に埋め込まれた棒状物や板状物であっても良い。
【００４８】
次に、図１６を用いて、前記ハウス玩具３０の遊戯方法について、作用効果を交えて説明する。なお、この説明では、便宜上、図１６の手前側を前、奥側を後、左側を左、右側を右、上側を上、下側を下と表記する。
【００４９】
図１４に示した状態（第１開閉部３２と第２開閉部３３が閉塞されている状態）では、本体部３１と第１開閉部３２と第２開閉部３３との協働によって第１載置部と第２載置部とを有する上下２個の物品収容空間（符号省略）が内部に画成されている。また、図１５に示した状態（第１開閉部３２と第２開閉部３３が開放されている状態）では、上下２個の物品収容空間（符号省略）が開放されている。
【００５０】
図７に示した物品２０は永久磁石２６を備えているため、ハウス玩具３０の内外面に設けられた複数個の磁性部材３６、例えば強磁性部材を選択的に用いて、物品２０を装着することができる。例えば、図１６に示した状態（第１開閉部３２と第２開閉部３３が開放された状態）では、底部３１ｂの磁性部材３６が設けられた位置に物品２０を縦向きに装着することができ、また、仕切部３１ｃの磁性部材３６が設けられた位置に物品２０を縦向きに装着することができる。さらに、これら２個の物品２０の一方の装着を解除して取り出し、棚部３１ｃの磁性部材３６設けられた位置に当該物品２０を縦向きに装着することもできる。
【００５１】
また、ハウス玩具３０には前記以外の位置にも磁性部材３６が設けられているため、第１開閉部３２と第２開閉部３３が開放されている状態、及び第１開閉部３２と第２開閉部３３が閉塞されている状態を問わず、また、ハウス玩具２０の内外面を問わず、これら磁性部材３６が設けられた位置に物品２０を横向きに装着することもできる。
【００５２】
すなわち、ハウス玩具３０は、物品２０の収容に使用できる他、内外面において他の磁性部材３６が設けられた位置に選択的に物品２０を装着する遊戯を楽しむことができる。
【００５３】
次に、図１７を用いて、前記ハウス玩具３０の他の遊戯方法について、作用効果を交えて説明する。なお、この説明では、便宜上、図１７の手前側を前、奥側を後、左側を左、右側を右、上側を上、下側を下と表記する。
【００５４】
図１７は、図１４に示したハウス玩具３０に図１２に示した動作玩具２０を着脱可能に取り付けたものである。この取付手段には、一方側に設けた凸部と他方側に設けた凹部との嵌め合いや、一方側に設けた永久磁石と他方側に設けた磁性部材と引き寄せ等の他、専用の連結部材を用いた両者の連結等を採用することができる。なお、図１７にはハウス玩具３０の上に動作玩具２０を設置したものを示したが、本体部３１と第１開閉部３２と第２開閉部３３の外面に動作玩具２０を取り付けることも可能である。
【００５５】
図１７に示した動作玩具２０の遊戯方法および作用効果は先に述べたとおりであり、図１７に示したハウス玩具３０の遊戯方法および作用効果は先に述べたとおりであるため、ここでの説明を省略する。
【００５６】
《玩具セットに関する補足》
遊戯者に対し好適な玩具セットとしては、（１）前記動作玩具１０と前記物品２０との組み合わせから成る玩具セット、（２）前記動作玩具１０と前記物品２０と前記ハウス玩具３０との組み合わせから成る玩具セット、を挙げることができる。玩具セット（１）の場合には前記動作玩具１０と前記物品２０とを用いた前述の遊戯を行うことができ、玩具セット（２）の場合には前記動作玩具１０と前記物品２０とを用いた前述の遊戯の他に、前記物品２０と前記ハウス玩具３０とを用いた前述の遊戯を行うことができる。いずれの場合も前記物品２０は１個でも十分であるが、複数種類をセットにすれば遊戯の楽しさおよび面白さを高めることができる。
【符号の説明】
【００５７】
１０…動作玩具、１１…本体部、１１ｂ…第１溝部、１１ｃ…第２溝部、１１ｄ…弾性部、１１ｆ…被係合部、１２…開閉部、１２ａ…第１接続部、１２ｂ…押圧部、１２ｃ…第２接続部、１２ｄ…当接部、１２ｆ…支持部、１３…動作部、ＭＳ…第１の面、ＮＭＳ…第２の面、１３ａ…係合部、１３ｂ…係合部、１３ｃ…被押圧部、１３ｄ…位置決め部、１３ｅ…磁性部材、１４…第１シャフト、１５…第２シャフト、１６…捻りコイルバネ、２０…物品、２１…胴部、２４…脚部、２５…空洞、２６…永久磁石、２７…磁性部材、３０…ハウス玩具、３１…本体部、３２…第１開閉部、３３…第２開閉部、３４…第１シャフト、３５…第２シャフト、３６…磁性部材。
【図１】
2019017511.tif 000003
【図２】
2019017511.tif 000004
【図３】
2019017511.tif 000005
【図４】
2019017511.tif 000006
【図５】
2019017511.tif 000007
【図６】
2019017511.tif 000008
【図７】
2019017511.tif 000009
【図８】
2019017511.tif 000010
【図９】
2019017511.tif 000011
【図１０】
2019017511.tif 000012
【図１１】
2019017511.tif 000013
【図１２】
2019017511.tif 000014
【図１３】
2019017511.tif 000015
【図１４】
2019017511.tif 000016
【図１５】
2019017511.tif 000017
【図１６】
2019017511.tif 000018
【図１７】
2019017511.tif 000019
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
物品を用いた遊戯に使用される動作玩具であって、
本体部と、前記本体部に設けられた開閉部と、前記本体部に設けられた動作部とを備え、
前記動作部は、前記物品を装着可能な第１の面を有し、前記開閉部の開放に応じて前記本体部に対する前記第１の面の向きを第１状態から第２状態へ変化可能に構成される、
動作玩具。
【請求項２】
前記本体部に対する前記第１の面の向きを前記第１状態から前記第２状態へ変化することによって、前記本体部に対する前記物品の向きも変化する、
請求項１に記載の動作玩具。
【請求項３】
前記開閉部は、前記本体部に回動可能に設けられ、
前記動作部は、前記本体部に回転可能に設けられる、
請求項１または２に記載の動作玩具。
【請求項４】
前記動作部は、前記開閉部の開放に応じて１８０度回転する、
請求項３に記載の動作玩具。
【請求項５】
前記動作部は、前記第１の面とは異なる第２の面を有し、
前記本体部と、前記開閉部と、前記動作部とによって画成される前記物品の収容空間に前記物品を収容している状態において、前記第１の面は露出せず、前記第２の面は露出する、
請求項１〜４のいずれか１項に記載の動作玩具。
【請求項６】
前記本体部には、前記本体部に対する前記動作部を前記第２状態となるよう付勢する付勢部材が設けられる、
請求項１〜５のいずれか１項に記載の動作玩具。
【請求項７】
前記本体部には、前記動作部を前記第１状態で維持するため、前記動作部に設けられた第１の係合部と係合可能な被係合部が設けられる、
請求項６に記載の動作玩具。
【請求項８】
前記付勢部材は、前記動作部が前記第１状態にある場合において、前記第１の係合部が前記被係合部に係合するよう付勢する、
請求項７に記載の動作玩具。
【請求項９】
前記開閉部には、押圧部が設けられ、
前記動作部には、前記押圧部により押圧可能な被押圧部が設けられ、
前記被係合部への前記第１の係合部の係合は、前記開閉部の開放に応じた、前記押圧部による前記被押圧部への押圧により解除される、
請求項７または８に記載の動作玩具。
【請求項１０】
前記本体部には、前記開閉部の所定角度以上の開放を抑制可能な開放抑制部が設けられ、
前記被係合部への前記第１の係合部の係合は、前記開閉部が前記所定角度を超えたときに解除される、
請求項９に記載の動作玩具。
【請求項１１】
前記開放抑制部は、弾性部で構成され、
前記開閉部には、前記所定角度以上の開放状態において、前記弾性部と当接する当接部が設けられる、
請求項１０に記載の動作玩具。
【請求項１２】
前記動作部には、前記動作部を前記第２状態で維持するため、前記被係合部に係合可能な第２の係合部が設けられる、
請求項７〜１１のいずれか１項に記載の動作玩具。
【請求項１３】
前記開閉部は、前記第１状態および前記第２状態において前記開閉部が閉塞されたときに前記動作部を支持可能な支持部を有する、
請求項１〜１２のいずれか１項に記載の動作玩具。
【請求項１４】
前記動作部の前記第１の面の内側には、第１の磁性部材が設けられる、
請求項１〜１３のいずれか１項に記載の動作玩具。
【請求項１５】
前記動作部の前記第１の面には、前記物品の装着位置を決める位置決め部が設けられる、
請求項１〜１４のいずれか１項に記載の動作玩具。
【請求項１６】
請求項１〜１５のいずれか１項に記載の動作玩具に用いられる物品であって、
前記動作玩具における動作部の前記第１の面に着脱可能に装着するための装着部を有する、
物品。
【請求項１７】
前記物品は、少なくとも胴部および脚部を有する人形である、
請求項１６に記載の物品。
【請求項１８】
前記装着手段は、前記物品に設けられた永久磁石を含んでおり、
前記物品は、前記永久磁石が前記動作玩具における前記動作部の前記第１の面の内側に設けられた第１の磁性部材に引き寄せられることにより前記第１の面に装着できるように構成される、
請求項１６または１７に記載の物品。
【請求項１９】
前記永久磁石は、前記物品の内部に前記物品の装着方向に沿って移動可能に設けられ、
前記物品の内部には、前記永久磁石を前記装着方向とは反対側に引き寄せる第２の磁性部材が設けられ、
前記第２の磁性部材が前記永久磁石を引き寄せる力は、前記物品を前記動作玩具における前記動作部の前記第１の面に装着したときに前記第１の磁性部材が前記永久磁石を引き寄せる力よりも小さい、
請求項１８に記載の物品。
【請求項２０】
請求項１〜１５のいずれか１項に記載の動作玩具と、請求項１６〜１９のいずれか１項に記載の物品との組み合わせから成る、
玩具セット。
【請求項２１】
請求項１〜１５のいずれか１項に記載の動作玩具と、請求項１６〜１９のいずれか１項に記載の物品と、ハウス玩具との組み合わせから成る玩具セットであって、
前記ハウス玩具は、ハウス本体部と、前記ハウス本体部に設けられたハウス開閉部を備え、前記ハウス本体部内には、前記物品を載置する第１載置部と、前記第１載置部とは異なる第２載置部とを有する、
玩具セット。
【請求項２２】
前記ハウス玩具に前記動作玩具を着脱可能に取り付けるための取付部を備えている、
請求項２１に記載の玩具セット。
【請求項２３】
前記物品は、永久磁石を備えており、
前記ハウス玩具には、磁性部材が複数個設けられ、前記磁性部材が設けられた位置に前記物品を選択的に装着できるように構成される、
請求項２１または２２に記載の玩具セット。
【請求項２４】
前記ハウス玩具は、第１の構成部材と第２の構成部材とを含み、
前記磁性部材は、前記第１の構成部材に前記第２の構成部材を接続する接続部である、
請求項２３に記載の玩具セット。
【手続補正２】
【補正対象書類名】明細書
【補正対象項目名】０００６
【補正方法】変更
【補正の内容】
【０００６】
前記課題を解決するため、本発明に係る動作玩具は、物品を用いた遊戯に使用される動作玩具であって、本体部と、前記本体部に設けられた開閉部と、前記本体部に設けられた動作部とを備え、前記動作部は、前記物品を装着可能な第１の面を有し、前記開閉部の開放に応じて前記本体部に対する前記第１の面の向きを第１状態から第２状態へ変化可能に構成される。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
物品を用いた遊戯に使用される動作玩具であって、
本体部と、前記本体部に設けられた開閉部と、前記本体部に設けられた動作部とを備え、
前記本体部には、前記開閉部の所定角度以上の開放を抑制可能な開放抑制部が設けられ、
前記動作部は、前記物品を装着可能な第１の面を有し、前記開閉部の開放により前記開閉部が前記開放抑制部に抑制される状態において前記開閉部の開放が前記所定角度を超えたときに前記本体部に対する前記第１の面の向きを第１状態から第２状態へ変化可能に構成される、
動作玩具。
【請求項２】
前記開放抑制部は、弾性部で構成され、
前記開閉部には、前記所定角度以上の開放状態において、前記弾性部と当接する当接部が設けられる、
請求項１に記載の動作玩具。
【請求項３】
前記本体部に対する前記第１の面の向きを前記第１状態から前記第２状態へ変化することによって、前記本体部に対する前記物品の向きも変化する、
請求項１または２に記載の動作玩具。
【請求項４】
前記開閉部は、前記本体部に回動可能に設けられ、
前記動作部は、前記本体部に回転可能に設けられる、
請求項１〜４のいずれか１項に記載の動作玩具。
【請求項５】
前記動作部は、１８０度回転することで前記第２状態となる、
請求項４に記載の動作玩具。
【請求項６】
前記動作部は、前記第１の面とは異なる第２の面を有し、
前記本体部と、前記開閉部と、前記動作部とによって画成される前記物品の収容空間に前記物品を収容している状態において、前記第１の面は露出せず、前記第２の面は露出する、
請求項１〜５のいずれか１項に記載の動作玩具。
【請求項７】
前記本体部には、前記本体部に対する前記動作部を前記第２状態となるよう付勢する付勢部材が設けられる、
請求項１〜６のいずれか１項に記載の動作玩具。
【請求項８】
前記本体部には、前記動作部を前記第１状態で維持するため、前記動作部に設けられた第１の係合部と係合可能な被係合部が設けられる、
請求項７に記載の動作玩具。
【請求項９】
前記付勢部材は、前記動作部が前記第１状態にある場合において、前記第１の係合部が前記被係合部に係合するよう付勢する、
請求項８に記載の動作玩具。
【請求項１０】
前記開閉部には、押圧部が設けられ、
前記動作部には、前記押圧部により押圧可能な被押圧部が設けられ、
前記被係合部への前記第１の係合部の係合は、前記開閉部の開放に応じた、前記押圧部による前記被押圧部への押圧により解除される、
請求項８または９に記載の動作玩具。
【請求項１１】
前記被係合部への前記第１の係合部の係合は、前記開閉部が前記所定角度を超えたときに解除される、
請求項８〜１０のいずれか１項に記載の動作玩具。
【請求項１２】
前記動作部には、前記動作部を前記第２状態で維持するため、前記被係合部に係合可能な第２の係合部が設けられる、
請求項８〜１１のいずれか１項に記載の動作玩具。
【請求項１３】
前記開閉部は、前記第１状態および前記第２状態において前記開閉部が閉塞されたときに前記動作部を支持可能な支持部を有する、
請求項１〜１２のいずれか１項に記載の動作玩具。
【請求項１４】
前記動作部には、第１の磁性部材が設けられる、
請求項１〜１３のいずれか１項に記載の動作玩具。
【請求項１５】
前記動作部の前記第１の面には、前記物品の装着位置を決める位置決め部が設けられる、
請求項１〜１４のいずれか１項に記載の動作玩具。
【請求項１６】
請求項１〜１５のいずれか１項に記載の動作玩具に用いられる物品であって、
前記動作玩具における動作部の前記第１の面に着脱可能に装着するための装着部を有する、
物品。
【請求項１７】
前記物品は、少なくとも胴部および脚部を有する人形である、
請求項１６に記載の物品。
【請求項１８】
前記装着部は、前記物品に設けられた永久磁石を含んでおり、
前記物品は、前記永久磁石が前記動作玩具における前記動作部に設けられた第１の磁性部材に引き寄せられることにより前記第１の面に装着できるように構成される、
請求項１６または１７に記載の物品。
【請求項１９】
前記永久磁石は、前記物品の内部に前記物品の装着方向に沿って移動可能に設けられ、
前記物品の内部には、前記永久磁石を前記装着方向とは反対側に引き寄せる第２の磁性部材が設けられ、
前記第２の磁性部材が前記永久磁石を引き寄せる力は、前記物品を前記動作玩具における前記動作部の前記第１の面に装着したときに前記第１の磁性部材が前記永久磁石を引き寄せる力よりも小さい、
請求項１８に記載の物品。
【請求項２０】
請求項１〜１５のいずれか１項に記載の動作玩具と、請求項１６〜１９のいずれか１項に記載の物品との組み合わせから成る、
玩具セット。
【請求項２１】
請求項１〜１５のいずれか１項に記載の動作玩具と、請求項１６〜１９のいずれか１項に記載の物品と、ハウス玩具との組み合わせから成る玩具セットであって、
前記ハウス玩具は、ハウス本体部と、前記ハウス本体部に設けられたハウス開閉部を備え、前記ハウス本体部内には、前記物品を載置する第１載置部と、前記第１載置部とは異なる第２載置部とを有する、
玩具セット。
【請求項２２】
前記ハウス玩具に前記動作玩具を着脱可能に取り付けるための取付部を備えている、
請求項２１に記載の玩具セット。
【請求項２３】
前記物品は、永久磁石を備えており、
前記ハウス玩具には、磁性部材が複数個設けられ、前記磁性部材が設けられた位置に前記物品を選択的に装着できるように構成される、
請求項２１または２２に記載の玩具セット。
【請求項２４】
前記ハウス玩具は、第１の構成部材と第２の構成部材とを含み、
前記磁性部材は、前記第１の構成部材に前記第２の構成部材を接続する接続部である、
請求項２３に記載の玩具セット。
【手続補正２】
【補正対象書類名】明細書
【補正対象項目名】０００６
【補正方法】変更
【補正の内容】
【０００６】
本発明に係る動作玩具は、物品を用いた遊戯に使用される動作玩具であって、本体部と、前記本体部に設けられた開閉部と、前記本体部に設けられた動作部とを備え、前記本体部には、前記開閉部の所定角度以上の開放を抑制可能な開放抑制部が設けられ、前記動作部は、前記物品を装着可能な第１の面を有し、前記開閉部の開放により前記開閉部が前記開放抑制部に抑制される状態において前記開閉部の開放が前記所定角度を超えたときに前記本体部に対する前記第１の面の向きを第１状態から第２状態へ変化可能に構成される。
【手続補正３】
【補正対象書類名】明細書
【補正対象項目名】０００７
【補正方法】変更
【補正の内容】
【０００７】
また、本発明に係る物品は、前掲の動作玩具に用いられる物品であって、前記動作玩具における動作部の前記第１の面に着脱可能に装着するための装着部を有する。
【手続補正４】
【補正対象書類名】明細書
【補正対象項目名】０００８
【補正方法】変更
【補正の内容】
【０００８】
さらに、本発明に係る玩具セットは、前掲の動作玩具と前掲の物品との組み合わせから成る。加えて、本発明に係る玩具セットは、前掲の動作玩具と、前掲の物品と、ハウス玩具との組み合わせから成る玩具セットであって、前記ハウス玩具は、ハウス本体部と、前記ハウス本体部に設けられたハウス開閉部を備え、前記ハウス本体部内には、前記物品を載置する第１載置部と、前記第１載置部とは異なる第２載置部とを有する。
【手続補正書】
【提出日】平成30年9月14日(2018.9.14)
【手続補正１】
【補正対象書類名】特許請求の範囲
【補正対象項目名】請求項４
【補正方法】変更
【補正の内容】
【請求項４】
前記開閉部は、前記本体部に回動可能に設けられ、
前記動作部は、前記本体部に回転可能に設けられる、
請求項１〜３のいずれか１項に記載の動作玩具。